(57)【特許請求の範囲】
【請求項１】
雄螺子を有し化粧皿を収納する環状筒が立設された容器本体と、前記容器本体の後端部に蝶番結合された蓋体とからなるコンパクト容器において；前記蓋体は上下面に貫通する貫通孔を有していて、前記雄螺子と係合する雌螺子を有し前記環状筒を密封する中蓋が前記貫通孔に回動可能に装着されるとともに、前記中蓋の前記蓋体外表面に露出した天板には前記蓋体の上面前端から突出可能な寸法の操作レバーが設けられ、前記操作レバーを前記蓋体の前端から突出した位置に回動すると前記環状筒と前記中蓋との係合が解除され、突出した操作レバーが開蓋用の指掛け部となることを特徴とするコンパクト容器。
【発明の詳細な説明】
【０００１】
【産業上の利用分野】
本発明は、揮発性化粧料や流動性化粧料を収納するのに好適な螺子蓋を用いた気密性に優れたコンパクト容器に関する。
【０００２】
【従来の技術】
気密性を必要とする化粧料を螺子蓋で密封したコンパクト容器として、本願出願人は実開平４ー３１６号公報に開示された考案のコンパクト容器を提案している。
【０００３】
この従来のコンパクト容器は、図５及び図６に示すように、上面に開口する収納室５１を有する容器本体５２の上面を覆う蓋体５３を具備してなるコンパクト容器において、前記蓋体５３の裏面には前記収納室５１を覆う中蓋５４が取り付けられ、この中蓋５４は操作レバー５７による外部からの操作により前記蓋体５３の裏面に沿って回動可能とされ、当該中蓋５４の周壁５５と前記収納室５１の周壁５６とは互いに螺子嵌合可能とされた構成とされている。
【０００４】
そして、閉蓋して、中蓋５４を収納室５１に螺子嵌合することにより、容易に収納室５１内の気密性を保持すると同時に、蓋体５３と容器本体５２とを互いに係合させることができる。従って、蓋体５３と容器本体５２との係合手段を別途に設ける必要がなく、蓋体５３と容器本体５２との開閉操作は操作レバー５７を使って行うというものである。
【０００５】
【発明が解決しようとする課題】
ところで、図５に開示された従来のコンパクト容器は、開蓋する際に、蓋体５３の外表面に露出させた操作レバー５７を指で摘んで回動させて蓋体５３と容器本体５２との係合を解除し、次に、改めて指を蓋体５３に当て変えてから体蓋５３を押し上げるという二段操作が必要であり、操作性に問題を残していた。
【０００６】
また、充分な注意力をもって操作レバー５７の回動位置を確認しないと蓋体５３と容器本体５２との係合状態の判別がしにくく、操作の手順に戸惑うということがあった。
【０００７】
一方、図６に示すものにあっては、蓋体５３の側面に窓５８が設けられ、この窓５８から中蓋５４の周壁５９の外面が露出し、この露出した周壁５９に操作レバー５７を設けて蓋体５３の側面から突出した構成とされており、操作レバー５７に指を掛けたまま一連の操作で開蓋できるものである。
【０００８】
しかしながら、この図６に開示されたもう一つの従来のコンパクト容器は、蓋体５３の側面に窓５８が窪んで見えるので、見映えを重要視する化粧用容器としてはデザイン上の不満があり、且つ操作レバー５７は常に蓋体５３の側面から突出した構成とされているので、携帯中、周囲に操作レバー５７がぶつかりやすく、操作レバー５７を損傷したり、誤って係合が解除されてしまうことがあった。
【０００９】
本発明は、上記の問題に鑑みてなされたもので、気密性を必要とする化粧料を螺子蓋で密封し、美観を損なわずに操作性を向上させて更に取り扱い易くすることを課題としている。
【００１０】
【課題を解決するための手段】
本発明は上記課題を解決する為に、雄螺子を有し化粧皿を収納する環状筒が立設された容器本体と、前記容器本体の後端部に蝶番結合された蓋体とからなるコンパクト容器において、前記蓋体は上下面に貫通する貫通孔を有していて、前記雄螺子と係合する雌螺子を有し前記環状筒を密封する中蓋が前記貫通孔に回動可能に装着されるとともに、前記中蓋の前記蓋体外表面に露出した天板には前記蓋体の上面前端から突出可能な寸法の操作レバーが設けられ、前記操作レバーを前記蓋体の前端から突出した位置に回動すると前記環状筒と前記中蓋との係合が解除され、突出した操作レバーが開蓋用の指掛け部となることを特徴としている。
【００１１】
【作用】
本発明のコンパクト容器にあっては、中蓋に設けた操作レバーは蓋体の上面前端から突出可能な寸法に設定され、且つ操作レバーを蓋体の前端から突出した位置に回動させると、環状筒と中蓋との係合が解除される構成としたので、操作レバー８の回動位置が認識し易く、操作レバー８の位置を見て極めて容易に係合状態の判別ができる。
【００１２】
そして、環状筒と中蓋との係合を解除すること、即ち開蓋可能状態にしたときには、操作レバーは蓋体の上面前端から突出するので、突出した操作レバーを指掛け部として使用して一連の手指の操作で開蓋できる。
【００１３】
更に、環状筒と中蓋とが係合しているとき、即ち蓋体と容器本体とが係合し閉蓋状態にあるときには、操作レバーは蓋体の上面前端内に位置しているので美観が損なわれる事がないうえに、携帯中、不用意に周囲に操作レバーをぶつけてしまうようなことがない。
【００１４】
【実施例】
以下、本発明の実施例を添付図面を参照しながら詳細に説明する。
【００１５】
図１乃至図４は、本発明に係わるコンパクト容器の好適な実施例を示すもので、中枠９が固着されてなる容器本体１と、この容器本体１の上面を覆い天板１０に貫通孔７が穿設された蓋体２とが各後端部で蝶番ピン１１によって開閉自在に蝶着されてなり、前記蓋体２の貫通孔７には、中蓋３が脱抜不能、且つ回動可能に装着されて構成されている。
【００１６】
図に示すように、容器本体１は、後壁中央部に蝶番部を構成する凹所１２が設けられた扁平な有底の箱体からなり、この容器本体１には、パフ（図示せず）を納置する収納凹所１３と化粧料Ｋが充填された化粧皿１４を収納する環状筒６とを区画形成した中枠９が固着形成されている。
【００１７】
前記環状筒６は、中枠９に一体形成されて容器本体１の上部開放面よりも高く起立して設けられ、その上端面は浅い内向きの段部に形成されて環状筒６内に嵌挿された化粧皿１４のフランジ１４ａが面一にはめ込まれているとともに、その外周壁にはリードの短い雄螺子４が所定間隔をおいて複数箇所に突設され、この雄螺子４のリードの閉まり方向の終端は下方に屈曲してストッパ１５を形成している。
【００１８】
更に、環状筒６の内周壁には突条１６が周設され、この突条１６と前記化粧皿１４の外周に設けられた周溝１４ｂとが係合して環状筒６と化粧皿１４とは嵌脱可能に嵌合している。
【００１９】
一方、蓋体２は、天板１０の周端から垂設された周壁１７に囲まれた浅い皿状に形成され、後端壁中央部から垂設された蝶番脚１８が前記容器本体１の凹所１２と嵌合して蝶番部を構成しているとともに、容器本体１の収納凹所１２に対応した天板１０内側には化粧用鏡１９が貼着され、天板１０の環状筒６に対応した箇所には上下面に貫通した貫通孔７が穿設されている。
【００２０】
そして、図２に示すように前記貫通孔７の上部周縁部には中蓋３の回動距離を制限する内向きの段部に形成された円弧状の規制溝２０が設けられ、この規制溝２０には中蓋３の周縁部２３下面に突設された規制片２１が摺動可能に臨んでおり、図３に於いて破線で示すように、規制溝２０の長さ距離Ｓが中蓋３の回動可能距離として設定されている。
【００２１】
前記中蓋３は、鍔状の周縁部２３を残して天板２２の下面から一体に垂設された周壁２４からなり、この周壁２４の外周に周設された突条２５が前記蓋体２の貫通孔７の下部周縁部に係合して蓋体２に回動可能、且つ脱抜不能に装着されている。
【００２２】
また、中蓋３の内周壁には前記環状筒６の雄螺子４と螺合する雌螺子５が設けられ、中蓋３内の天面にはシート状のパッキン２６が貼着されている。
【００２３】
そして、蓋体２の上面に露出した中蓋３の天板２２の外縁には舌片状の操作レバー８が一体に突出形成され、この操作レバー８は天板１０に沿って蓋体２の前方に回動されたとき蓋体２の上面前端縁から突出する所望の長さ寸法に形成されており、蓋体２の開閉用の指掛け部を兼用している。
【００２４】
また、本実施例のコンパクト容器においては、操作レバー８を回動して蓋体２の上面前端縁から突出すると、中蓋２の雌螺子５と環状筒６の雄螺子４との係合が解除されるとともに、中蓋３の周縁部２３下面に突設された規制片２１が規制溝２０の終端面２０ａに当接し、操作レバー８がコンパクト容器の正面に突出して停止するように過回動が規制さて設定されている。
【００２５】
また、中蓋３の雌螺子５と環状筒６の雄螺子４とが係合して雌螺子５の先端が雄螺子４のストッパ１５に当接した閉蓋状態にあっては、操作レバー８は蓋体２の上面前端縁内に位置している。
【００２６】
以上のように構成された本実施例のコンパクト容器は、図３に於いて実線で示したように、閉蓋して操作レバー８が蓋体２の上面前端内に位置しているときは蓋体２と容器本体１とは係合していることを示し、図３に於いて二点鎖線で示したように、操作レバー８が蓋体２の上面前端縁から突出状態にあるときは係合が解除されて開蓋可能状態にあることを示しているので、操作レバー８の回動位置が認識し易く、操作レバー８の位置を見て極めて容易に係合状態の判別ができ、従って、操作の手順に戸惑うことがない。
【００２７】
かかる本実施例のコンパクト容器を使用するときは、蓋体２の前方に操作レバー８を回動突出して蓋体２と容器本体１との係合を解除し、突出した操作レバー８を指掛け部として一連の手指の操作で開蓋できる。
【００２８】
そして、閉蓋するときは、蓋体２の上面前端内に操作レバー８を回動させると、中蓋２の雌螺子５と環状筒６の雄螺子４との螺合が進み、雄螺子４のストッパ１５に雌螺子５のリードの先端が当接することにより蓋体２と容器本体１との係合は完了し、化粧料Ｋはパッキン２６によって気密に密封される。
【００２９】
本実施例のコンパクト容器にあっては、蓋体２と容器本体１とが係合状態にあると、操作レバー８は蓋体２の上面前端内に天板１０に重なって収まり、見映えが損なわれないばかりか操作レバー８にホットスタンプなどの加飾を施すことによって更に美観を高めることもでき、また、携帯中に不用意に操作レバー８を周囲にぶつけて係合が解除されてしまうようなこともない。
【００３０】
【発明の効果】
本発明のコンパクト容器によれば、中蓋に設けた操作レバーを蓋体の上面前端から突出可能な寸法に設定し、且つ操作レバーを蓋体の前端から突出した位置に回動すると環状筒と中蓋との係合が解除される構成としたので、操作レバーの回動位置が認識し易く、且つ操作レバーの位置を見て極めて容易に係合状態の判別ができるので、操作の手順に戸惑うことがない。
【００３１】
また、環状筒と中蓋との係合を解除して開蓋可能状態にすると、操作レバーは蓋体の上面前端から突出して指掛け部となり、操作レバーに指を掛けて一連の手指の操作で開蓋できるので、極めて操作性がよい。
【００３２】
更に、閉蓋時にあっては、操作レバーは蓋体の上面前端内に収まっているので、見映が損なわれることもなく、携帯中に不用意に操作レバーを周囲にぶつけて係合が解除されてしまうようなこともなく、取り扱い易いコンパクト容器である。
【図面の簡単な説明】
【図１】  本発明のコンパクト容器の実施例を示す開放斜視図。
【図２】  同コンパクト容器の断面図。
【図３】  同コンパクト容器の平面図。
【図４】  同コンパクト容器の側面図、
【図５】  従来のコンパクト容器の断面図。
【図６】  従来のコンパクト容器の別の実施例の開放斜視図。
【符号の説明】
１  容器本体，２  蓋体，３  中蓋，４  雄螺子，５  雌螺子，６  環状筒，
７  貫通孔，８  操作レバー，１４  化粧皿，２２  天板
【図１】
0003696275.tif 000002
【図２】
0003696275.tif 000003
【図３】
0003696275.tif 000004
【図４】
0003696275.tif 000005
【図５】
0003696275.tif 000006
【図６】
0003696275.tif 000007